(57)【要約】【課題】ユーザの視覚特性の測定に要する時間を短縮する。【解決手段】表示装置に表示された複数の異なる色票のうちから基準色に対し所定の条件を満たす色票をユーザに選択させる選択手段と、前記ユーザにより選択された色票及びその色票に対し色差を有する１又は複数の色票を、次回、前記表示装置に表示させる色票として決定する決定手段と、前記決定手段による色票の決定及び前記ユーザによる色票の選択を複数回繰り返した結果についての情報である履歴情報に基づき、前記ユーザの視覚特性を算出する算出手段と、を有し、前記決定手段は、前記履歴情報に基づき、前記ユーザにより選択される色票が１つに収束しないと判定される場合、前記表示装置に表示させる色票を変更する演算処理装置。【選択図】図２
2016134838.tif 000002
【特許請求の範囲】
【請求項１】
表示装置に表示された複数の異なる色票のうちから基準色に対し所定の条件を満たす色票をユーザに選択させる選択手段と、
前記ユーザにより選択された色票及びその色票に対し色差を有する１又は複数の色票を、次回、前記表示装置に表示させる色票として決定する決定手段と、
前記決定手段による色票の決定及び前記ユーザによる色票の選択を複数回繰り返した結果についての情報である履歴情報に基づき、前記ユーザの視覚特性を算出する算出手段と、
を有し、
前記決定手段は、前記履歴情報に基づき、前記ユーザにより選択される色票が１つに収束しないと判定される場合、前記表示装置に表示させる色票を変更する演算処理装置。
【請求項２】
前記所定の条件を満たす色票は、基準色に最も近い色票である請求項１に記載の演算処理装置。
【請求項３】
前記決定手段は、一定の複数の色票が繰り返しユーザにより選択される場合に、ユーザによる色票の選択が１つに収束しないと判定する請求項１又は２に記載の演算処理装置。
【請求項４】
前記決定手段は、前記一定の複数の色票に基づき求められる中心色の色票及びその色票に対し色差を有する１又は複数の近傍色の色票を、次回、前記表示装置に表示させる色票として決定する請求項３に記載の演算処理装置。
【請求項５】
前記決定手段は、前記一定の複数の色票の色を平均して前記中心色を求める請求項４に記載の演算処理装置。
【請求項６】
前記決定手段は、前記中心色と前記近傍色との色差を、前記ユーザの視覚特性に近いと推測される近傍色ほど小さくする請求項４又は５に記載の演算処理装置。
【請求項７】
前記決定手段は、前回、前記表示装置に表示させた色票の中心色と、今回、前記ユーザにより選択された色票に基づき決定した中心色とが同じ色の場合、次回、前記表示装置に表示させる色票の中心色と近傍色との色差を、前回よりも小さくする請求項４〜６のいずれか１項に記載の演算処理装置。
【請求項８】
前記決定手段は、ユーザによる色票の選択に一定以上の時間がかかった場合に、ユーザによる色票の選択が１つに収束しないと判定する請求項１又は２に記載の演算処理装置。
【請求項９】
前記決定手段は、前回、前記表示装置に表示させた色票の色相を変更することにより、次回、前記表示装置に表示させる色票を決定する請求項３又は８に記載の演算処理装置。
【請求項１０】
前記決定手段は、前回、前記表示装置に表示させた色票の数又は大きさを変更することにより、次回、前記表示装置に表示させる色票を決定する請求項３又は８に記載の演算処理装置。
【請求項１１】
前記基準色は、光を反射する媒体上に形成された色である請求項１〜１０のいずれか１項に記載の演算処理装置。
【請求項１２】
前記基準色は、前記表示装置に表示された色である請求項１〜１０のいずれか１項に記載の演算処理装置。
【請求項１３】
前記表示装置は、バックライトを有し、
前記バックライトは、広帯域の発光スペクトルにより発光する第１の領域と、狭帯域の発光スペクトルにより発光する第２の領域と、を有し、
前記基準色は、前記バックライトの第１の領域に対応する前記表示装置の表示領域に表示され、
前記色票は、前記バックライトの第２の領域に対応する前記表示装置の表示領域に表示される請求項１２に記載の演算処理装置。
【請求項１４】
前記バックライトの第１の領域は、広帯域の発光スペクトルによる発光と狭帯域の発光スペクトルによる発光とを切り替え可能であり、ユーザの視覚特性の取得時に広帯域の発光スペクトルにより発光し、通常時に狭帯域の発光スペクトルにより発光する請求項１３に記載の演算処理装置。
【請求項１５】
前記バックライトの第１の領域は、光源として赤色ＬＥＤ、緑色ＬＥＤ、青色ＬＥＤ、及び白色ＬＥＤを備え、
前記バックライトの第２の領域は、光源として赤色ＬＥＤ、緑色ＬＥＤ、及び青色ＬＥＤを備え、
前記バックライトの第１の領域は、ユーザの視覚特性の取得時に赤色ＬＥＤ、緑色ＬＥＤ、青色ＬＥＤ、及び白色ＬＥＤが発光し、通常時に赤色ＬＥＤ、緑色ＬＥＤ、及び青色ＬＥＤが発光する請求項１４に記載の演算処理装置。
【請求項１６】
前記バックライトの第１の領域は、光源として赤色ＬＥＤ、緑色ＬＥＤ、青色ＬＥＤ、及びＣＣＦＬを備え、
前記バックライトの第２の領域は、光源として赤色ＬＥＤ、緑色ＬＥＤ、及び青色ＬＥＤを備え、
前記バックライトの第１の領域は、ユーザの視覚特性の取得時にＣＣＦＬが発光し、通常時に赤色ＬＥＤ、緑色ＬＥＤ、及び青色ＬＥＤが発光する請求項１４に記載の演算処理装置。
【請求項１７】
ユーザの視覚特性を取得する演算処理装置の制御方法であって、
表示装置に表示された複数の異なる色票のうちから基準色に対し所定の条件を満たす色票をユーザに選択させる選択工程と、
前記ユーザにより選択された色票及びその色票に対し色差を有する１又は複数の色票を、次回、前記表示装置に表示させる色票として決定する決定工程と、
前記決定工程による色票の決定及び前記ユーザによる色票の選択を複数回繰り返した結果についての情報である履歴情報に基づき、前記ユーザの視覚特性を算出する算出工程と、
を有し、
前記決定工程では、前記履歴情報に基づき、前記ユーザにより選択される色票が１つに収束しないと判定される場合、前記表示装置に表示させる色票を変更する演算処理装置の制御方法。
【発明の詳細な説明】
【技術分野】
【０００１】
本発明は、演算処理装置及びその制御方法に関する。
【背景技術】
【０００２】
近年、高色域及び高精細のカラーマネジメント表示装置において、印刷物の色を再現し色の確認を行うソフトプルーフ機能が検討されている。ソフトプルーフ機能を利用することにより、表示装置上で実際の印刷イメージを確認しながら画像の編集作業を実施することや、制作物の仕上がり確認を行うことなどが可能となる。よって、作業時間の短縮など、作業効率の向上が期待できる。
一方、人の視覚特性には個人毎に差があることがわかっている。ここで視覚特性とは、等色関数と呼ばれる、光の波長毎の感度を示す曲線で示される。人が知覚する色は、等色関数と、観察対象の分光放射輝度によって求められる。よって、等色関数で表現される視覚特性が異なると、知覚される色も異なることになる。また、知覚される色の差は、対象の分光放射輝度の波形によって大きく変化する。ある特定の狭い波長領域の範囲内で分光放射輝度が大きく変化する場合、つまり、波形の変化が急峻である場合は、等色関数の差による知覚量の変化がより大きくなる傾向にある。
【０００３】
表現可能な色を高色域化するために、ＬＥＤ（Light Emitting Diode）をバックライトとして利用する液晶表示装置が普及しつつある。しかし、ＬＥＤは、分光放射輝度の形が急峻であるため、ＬＥＤのバックライトを利用した液晶表示装置は、人の視覚特性の差による知覚量の差が出やすいデバイスとなり得る。一方、従来印刷物の観察光源として利用されていた高演色蛍光灯は、分光放射輝度の波形が緩やかに変化する波形となっている。従って、高演色蛍光灯を光源として印刷物を観察する場合、観察者による知覚量の差が少ない。
表示装置の発色する色が人によって異なる色として知覚されてしまう場合、ソフトプルーフなど、色を正確に評価する作業においては大きな問題となり得る。例えば、最終的に印刷物として刊行される制作物の色を表示装置で観察して色を決定する処理を行う場合、観察者によって知覚色が異なると、観察者それぞれが異なる色で認識した上で決定処理がなされてしまう可能性がある。よって、最終的に印刷物が作成された場合に、意図した色と異なる色に感じられるため、制作物の品質が低下することにつながってしまう。
【０００４】
この問題を解決するために、特許文献１に記載の技術では、表示装置で画像を表示する場合に、予め測定した視覚特性を用いて表示装置を補正表示することで、人による知覚量の差を軽減する方法が提案されている。
また、多くのカラーマネジメント表示装置は、表示画質の調整機能を有しているため、観察者自身が、紙と表示装置の色が一致するように調整することも可能となっている。
【先行技術文献】
【特許文献】
【０００５】
【特許文献１】特開２００５−１０９５８３号公報
【発明の概要】
【発明が解決しようとする課題】
【０００６】
特許文献１に記載の方法や、一般的な表示装置の画質調整機能を利用した視覚特性の補正方法では、基準とする色を観察者に提示し、その基準値が観察者にとってどのように見えるかを取得することによって、観察者に最適な表示装置の補正を実現する。例えば、下記方法が検討されている。
一定の色差を持つ複数の色票を同時に表示装置に表示し、観察者に基準とするための印刷物と比較させ、色が一致するものを選択させる。ここで、印刷物を高演色の蛍光灯光源下で観察させることで、観察者による知覚量の変動を小さくすることができ、基準色として利用することが可能となる。表示装置に表示する色票間の色差を徐々に小さくしながら選択処理を繰り返すことで、観察者にとって印刷物と一致する表示装置の色を特定する。印刷物と一致した表示装置の色が、該観察者の基準値からの差となり、該観察者の視覚特性として扱うことができる値となる。得られた視覚特性を用いて表示装置を補正し表示することで、観察者にとって最適な表示装置の補正を行うことが可能となる。
【０００７】
上記視覚特性の測定方法を、図を用いて説明する。図１は、個人の視覚特性を測定するための方法について説明する図である。
図１の１０１は、視覚特性を測定するための比較用反射物１０３を照射するための高演色蛍光灯である。基準色票１０４が印刷された、比較用反射物１０３は、高演色蛍光灯１０１で照射することにより、観察者による知覚量の差が小さい色が反射される。よって、視覚特性を取得する際の基準として利用可能となる。表示装置１０２に、一定の色差を持つ複数の測定色票１０５を表示し、ユーザに、基準色票１０４と色が近いものを選択させることで、ユーザの視覚特性を測定する。表示装置１０２に表示する測定色票１０５について、それぞれの間の色差を徐々に小さくしていくことで、ユーザの視覚特性を高精度に取得することが可能となる。
【０００８】
上述した視覚特性の測定において、観察者によっては、表示装置に表示した測定色票間の色差が小さく感じられてしまうことがある。その場合、基準色票と一致する測定色票の選択に迷ってしまい、測定に時間がかかる可能性がある。そのため、特許文献１に記載の技術では、個人の視覚特性を効率的に測定することができない場合があった。
【０００９】
そこで本発明では、ユーザの視覚特性の測定に要する時間を短縮することを目的とする。
【課題を解決するための手段】
【００１０】
本発明は、表示装置に表示された複数の異なる色票のうちから基準色に対し所定の条件を満たす色票をユーザに選択させる選択手段と、
前記ユーザにより選択された色票及びその色票に対し色差を有する１又は複数の色票を、次回、前記表示装置に表示させる色票として決定する決定手段と、
前記決定手段による色票の決定及び前記ユーザによる色票の選択を複数回繰り返した結果についての情報である履歴情報に基づき、前記ユーザの視覚特性を算出する算出手段と、
を有し、
前記決定手段は、前記履歴情報に基づき、前記ユーザにより選択される色票が１つに収束しないと判定される場合、前記表示装置に表示させる色票を変更する演算処理装置である。
【００１１】
本発明は、ユーザの視覚特性を取得する演算処理装置の制御方法であって、
表示装置に表示された複数の異なる色票のうちから基準色に対し所定の条件を満たす色票をユーザに選択させる選択工程と、
前記ユーザにより選択された色票及びその色票に対し色差を有する１又は複数の色票を、次回、前記表示装置に表示させる色票として決定する決定工程と、
前記決定工程による色票の決定及び前記ユーザによる色票の選択を複数回繰り返した結果についての情報である履歴情報に基づき、前記ユーザの視覚特性を算出する算出工程と、
を有し、
前記決定工程では、前記履歴情報に基づき、前記ユーザにより選択される色票が１つに収束しないと判定される場合、前記表示装置に表示させる色票を変更する演算処理装置の制御方法である。
【発明の効果】
【００１２】
本発明によれば、ユーザの視覚特性の測定に要する時間を短縮することが可能になる。
【図面の簡単な説明】
【００１３】
【図１】実施例の構成要素を示す図
【図２】実施例１の表示装置の機能ブロックを示す図
【図３】視覚特性の取得処理について示すフローチャート
【図４】視覚特性の取得処理の方法について示す図
【図５】視覚特性の取得時に使用される、比較用反射物について説明する図
【図６】個人の視覚特性について説明する図
【図７】実施例１及び実施例２の処理フローを示すフローチャート
【図８】選択履歴情報を説明する図
【図９】実施例１のユーザが色票選択で迷っている状態の検出方法を説明する図
【図１０】実施例１のユーザが色票選択で迷っている状態の検出方法を説明する図
【図１１】実施例１の測定色票の表示変更方法を説明する図
【図１２】実施例１の測定色票の表示変更方法を説明する図
【図１３】実施例１の測定色票の表示変更方法を説明する図
【図１４】実施例２の測定色票の表示変更方法を説明する図
【図１５】実施例３の表示装置を説明する図
【図１６】実施例３の測定色票の表示変更方法を説明する図
【図１７】実施例３の処理フローを示すフローチャート
【発明を実施するための形態】
【００１４】
（実施例１）
実施例１は、視覚特性を取得する処理を行う本発明の演算処理装置の一実施例であり、印刷物の基準色票と表示装置の測定色票とをユーザに比較させる。そして、基準色票と色が近い測定色票を繰り返し選択させて視覚特性の取得を行う際に、選択処理の履歴に基づき繰り返し同様の測定色票が選択された場合に測定色票の表示色を変更する例について示す。
【００１５】
以下、実施例１について図面を用いて説明を行う。
図１は、実施例１の構成要素について示す図である。
図１の１０１は、印刷物を観察するための高演色蛍光灯である。反射物の色を評価するための光源の能力を示す指標として、演色性が定義されている。演色性が高い光源になるにつれ、より多くの波長域にスペクトルが含まれる光源となり、印刷物などの反射光を正確に得ることが可能となる。なお、実施例１では、光を反射する媒体上に形成された基準色として、紙媒体等の印刷物に印刷された色を例示するが、比較用反射物はこれに限られない。
【００１６】
図１の１０２は、画像を表示する表示装置である。近年では、ＬＥＤやＣＣＦＬ（Cold
Cathode Fluorescent Lamp）などの光源をバックライトとした液晶表示装置が主流とな
っている。
図１の１０３は、個人の視覚特性の取得時に使用する比較用反射物である。比較用反射物１０３上に、基準色票１０４を印刷して高演色蛍光灯１０１によって照射することで、視覚特性を取得する際の基準値として使用することが可能となる。
図１の１０５は、個人の視覚特性を取得するために、基準色票１０４と比較させるため
の測定色票である。表示装置１０２上に、複数の異なる色を持つ測定色票１０５を表示し、基準色票１０４と比較させて等しく見える色をユーザに選択させることで、ユーザの視覚特性を取得する。図１の例では、基準色票１０４及び測定色票１０５共に５つの色票を図示しているが、この数に限らない。
【００１７】
図１の１０６は、表示装置１０２に画像を表示するための計算機である。一般的にはＰＣ（Personal Computer）が計算機１０６として使用される。また、視覚特性測定の制御
についても計算機１０６において行われる。
図１の１０７は、計算機１０６からの画像信号を表示装置１０２に入力するための画像信号線である。画像信号線１０７は、ＤＰ（Display Port）ケーブルなどが通常使用される。
図１の１０８は、計算機１０６に接続され、ユーザからの入力を受け取るユーザインタフェースである。ユーザインタフェース１０８は、マウスやキーボードなどが例としてあげられ、これらユーザインタフェース１０８によって測定色票１０５の選択情報などが入力される。
【００１８】
図２は、実施例１における機能ブロックを示す図である。以下それぞれの機能ブロックについて説明する。
図２の２０１は、各種制御を実施するＣＰＵ（Central Processing Unit）である。Ｃ
ＰＵ２０１内にて、視覚特性取得時の制御や、後述の色票表示方法の変更処理等が行われる。また、各種データの読み出し等、その他制御もＣＰＵ２０１において実行される。
図２の２０２は、画像を表示する表示部である。図１の表示装置１０２に相当する。
図２の２０３は、表示部２０２において表示する画像情報や、取得する視覚特性を保存する記録部である。記録部２０３では、各種制御プログラム等も記録される。
【００１９】
図２の２０４は、ユーザからの入力を受信するインタフェース部である。図１のユーザインタフェース１０８から入力される情報を受信し、ＣＰＵ２０１などへ情報を転送する機能を持つ。
図２の２０５は、各種演算結果の中間データ等を一時的に保存するメモリである。
図２の２０６は、表示部２０２に表示する画像信号に対して、各種処理を加える画像処理部である。画像処理部２０６において、取得された視覚特性値を利用して観察者にとっての適切な色への変換処理が実行される。
図２の２０７は、各種データの送受信に使用されるバスである。
【００２０】
図２の操作入力部２１０は、インタフェース部２０４より転送されるユーザの操作情報を取得する。ユーザの操作情報は後述の選択履歴記録制御部２１１に転送され、選択履歴情報として記録される。
図２の選択履歴記録制御部２１１は、視覚特性取得において、ユーザが選択した測定色票１０５の情報等を、履歴情報として保存する制御を行う。選択履歴情報は、記録部２０３に記録される。選択履歴情報の詳細については後述する。
図２の選択状態判定部２１２は、ユーザの視覚特性取得操作時に、選択履歴情報に基づき、ユーザが色票の選択で迷っているか否かを判定する。選択状態判定部２１２は、ユーザにより選択される色票が１つに収束しないと判定される場合に、ユーザが色票の選択で迷っていると判定する。具体的には、選択状態判定部２１２は、一定の複数の色票が繰り返しユーザにより選択される場合や、ユーザによる色票の選択に一定以上の時間がかかっている場合に、収束しないと判定する。詳細は後述する。
【００２１】
色票表示方法決定部２１３は、選択状態判定部２１２における判定結果に基づき、図１の表示装置１０２に表示する測定色票１０５の表示方法を決定する。ここで表示方法を決定するとは、表示する測定色票１０５の個数、サイズ、色等の表示の態様を決定すること
をいう。
図２の色票表示処理部２１４は、測定色票１０５を実際に表示装置１０２に表示する処理を行う。具体的には、色票表示方法決定部２１３において決定された測定色票１０５の表示方法に従い、メモリ２０５に作成されたフレームバッファに描画する。
図２の視覚特性取得制御部２１５は、選択履歴記録制御部２１１において記録された測定色票１０５の選択履歴情報を用いて、ユーザの視覚特性値を取得するための制御を行う。
【００２２】
次に、実施例１の視覚特性の測定方法について図を用いて説明する。
図３は、実施例１の視覚特性の取得方法の前提となる処理の流れを示すフローチャートである。図３の処理フローの制御は、図２の視覚特性取得制御部２１５において実行される。
ステップＳ３０１において、ユーザが、図１の比較用反射物１０３を表示装置１０２の管面に設置する。
ステップＳ３０２において、色票表示処理部２１４は、ユーザが比較するための測定色票１０５を表示装置１０２上に表示する。ここで、比較用反射物１０３上の基準色票１０４と測定色票１０５との位置関係は、例えば図１に示すような関係であり、基準色票１０４と測定色票１０５との比較がユーザにとって容易となるように表示される。
【００２３】
ステップＳ３０３において、ユーザが、測定色票１０５のうちから基準色票１０４に対し所定の条件を満たす測定色票１０５を選択する。ここでは、所定の条件を満たす測定色票とは、基準色票１０４に最も近い色の色票とする。すなわち、ユーザは、基準色票１０４の色と近いと感じる測定色票１０５を選択する処理を行う。
ステップＳ３０４において、色票表示処理部２１４は、ステップＳ３０３でユーザに選択された測定色票１０５の色に基づき、測定色票１０５の色を変えて再表示する。測定色票１０５の色の決定は、色票表示方法決定部２１３で実施される。
ステップＳ３０５において、視覚特性取得制御部２１５は、複数の測定色票１０５間の色差が閾値以下となったか否かを判定し、閾値以下となった場合はステップＳ３０６へ移行する。一方、閾値以下となっていない場合は、ステップＳ３０３とステップＳ３０４の処理を繰り返す。
【００２４】
ステップＳ３０６において、視覚特性取得制御部２１５は、全ての基準色票１０４についてユーザの選択処理が終了したか否かを判定する。全ての基準色票１０４について終了した場合、視覚特性取得制御部２１５は、視覚特性の測定を終了する。このように、実施例１では、ユーザによる色票の選択と、ユーザにより選択された色票の色に基づく次回表示する色票の色の決定とを複数回繰り返した結果に基づき、ユーザの視覚特性を算出する。
【００２５】
ステップＳ３０３及びステップＳ３０４で実施される処理について、図４を用いて詳細に説明する。図４は、複数の測定色票１０５の色が、ステップＳ３０３におけるユーザの選択処理によって、どのように変化していくかを説明する図である。
図４（Ａ）は、初期に表示する測定色票１０５の色について示す図である。図４（Ａ）から図４（Ｃ）に示す二次元空間は、Ｌ＊ａ＊ｂ＊空間において、ａ＊ｂ＊の２軸を平面に表現した図である。Ｌ＊ａ＊ｂ＊空間は、輝度を示す指標Ｌと色を示す指標ａ＊及びｂ＊によって表現される色空間であり、ａ＊軸とｂ＊軸によって色を表現することが可能となる。また、Ｌ＊ａ＊ｂ＊空間上に示される２点の距離が色差となり、ΔＥで数値化される。
【００２６】
図４（Ａ）において、図中の×で示す位置が基準色票１０４の色を示す位置であり、○で示す位置が測定色票１０５の色を示す図である。図４では、測定色票１０５の数は５個
の場合の例を示している。初期の配置での測定色票１０５は、基準色票１０４の色を中心として、ａ＊軸及びｂ＊軸に一定の色差Ｄだけ離れた４点と、基準色票１０４と同じ色を示す位置に設定する。具体的には、４０１が基準色票１０４と同じ色であり、４０２から４０５が、基準色票１０４から所定の色差Ｄだけ離れた色である。ここで同じ色とは、測定器を用いて測定した場合に等しい値となる色のことをいう。
【００２７】
ここで、これから測定を行う観察者の視覚特性を示す位置が、□で示される色であるとする。□で示される図４の４２０の色を取得することで、基準色票１０４の色である４０１が、この観察者ではどのような色として表示装置１０２上に表現されるかを知ることができ、それに基づき観察者の視覚特性を取得することができる。
【００２８】
観察者が、基準色票１０４と最も近い色を選択する処理を行う場合、図４の４２０が観察者の視覚特性を示す色の位置であるとすると、選択される測定色票１０５は図４（Ａ）の４０４となる。観察者によって４０４が選択された場合、測定色票１０５は、図４（Ｂ）で示すような配置に変更される。図４（Ｂ）において、４０６から４１０が、再表示後に表示される測定色票１０５の色を示す位置である。ここで表示される測定色票１０５の色は、観察者が選択した色の位置を中心として、その色に対し一定の色差を持つ色である。４０４と同じ色を示す位置が４０６となっている。この状態で再度、観察者による選択処理が実施される。図４（Ｂ）の状態において観察者は、４２０の位置に近い４０６を選択する。４０６が選択された場合、図４（Ａ）の状態で選択された４０４と同じ色が繰り返し選択されたことになり、４０６付近にこの観察者の視覚特性が位置していると推測することができる。よって、次に表示する測定色票１０５の色は、図４（Ｃ）で示すように、４０６を中心として前回より色差を狭くした、４１２から４１５とする。４１１の色は４０６の色と同一である。図４（Ａ）から図４（Ｃ）により説明した選択処理を繰り返すことにより、測定色票１０５間の色差を徐々に小さくしながら観察者の視覚特性を示す色である４２０に測定色票１０５の表示色を近付ける。そして、測定色票１０５間の色差が閾値以下となるまで観察者の選択処理を繰り返し、視覚特性を特定する。
【００２９】
観察者による測定色票１０５の選択方法は、図４（Ｅ）の４１６で示すように、測定色票１０５を選択するためのカーソル表示が例としてあげられる。また、図４（Ｆ）の４１７で示すように、測定色票１０５それぞれに数字を付与し、テンキー等による数字の入力によって選択する方法でもよい。以上、図４で示した方法によって、図３のＳ３０３及びＳ３０４における測定色票１０５の選択処理が行われる。
【００３０】
基準色票１０４の例について、図５を用いて説明する。図５は、５個（５種類）のグレー階調を基準色票１０４とする例について示す図である。基準色票１０４としてグレー階調を選択する理由は、個人の視覚特性の差が、特に無彩色において大きいため、グレー階調によって視覚特性値を取得することが効果的であるからである。図５では５個の階調について、視覚特性を取得する例を示しているが、これに限らない。５個の階調である場合、図３のフローチャートでは、ステップＳ３０１から開始される処理が５回繰り返される。
【００３１】
図３で示される視覚特性の取得フローによって取得される、視覚特性値の例を図６に示す。図６は、複数のグレー階調において、それぞれの基準色票値を示すＲＧＢ値に対応づけられた、個人の視覚特性値を示す表である。図６の６０１と６０２は別の観察者の視覚特性を示している。同じ基準色票値のＲＧＢ値であっても、観察者によって異なるＲＧＢ値が選択されることを示している。図２の画像処理部２０６では、図６の視覚特性値を用いて色の変換を行い、観察者に適した色表示を実現する。視覚特性を利用した色の変換方法は様々であるが、例としては、グレー色について図６の表に従い、表示装置１０２に表示する色を変更する等があげられる。グレーのみ変更する場合、図６の表に存在しない階
調値においては、線形補間等の補間処理によって求められた値によって変換される。
以上、図３を用いて、実施例１の個人の視覚特性の取得方法の前提となる処理のフローについて説明を行った。
【００３２】
次に、図７を用いて、実施例１に特徴的な処理である選択履歴情報を用いた視覚特性取得処理のフローについて説明する。
図７は実施例１の処理手順を示すフローチャートである。以下各ステップについて説明する。
ステップＳ７０１〜ステップＳ７０３の処理は、図３のステップＳ３０１〜ステップＳ３０３の処理と同じである。
ステップＳ７０４において、選択履歴記録制御部２１１は、ステップＳ７０３でユーザが選択した情報を、選択履歴情報として保存する。
ステップＳ７０５において、選択状態判定部２１２は、ステップＳ７０４で記録された選択履歴情報に基づき、ユーザの測定色票１０５の選択で迷っているか否かを判定する。ユーザが迷っていると判定された場合（ステップＳ７０６：Ｙｅｓ）、処理はステップＳ７０７へ移行する。ユーザが迷っていると判定された場合（ステップＳ７０６：Ｎｏ）、処理はステップＳ７０８へ移行する。
【００３３】
ステップＳ７０７において、色票表示方法決定部２１３は、選択履歴情報に基づき、ユーザが色票の選択で迷うことを抑制するための測定色票１０５の表示方法を決定する。
ステップＳ７０８の処理は、図３のステップＳ３０４と同様の処理により、ステップＳ７０３で選択された測定色票の色に基づき、次回表示する測定色票１０５の色を決定する。
ステップＳ７０９では、ステップＳ７０７又はステップＳ７０８で決定された色票の色に従い、測定色票１０５を再表示する。
ステップＳ７１０で、視覚特性取得制御部２１５は、測定色票１０５間の色差が閾値以下となったか否かを判定し、閾値以下となった場合はステップＳ７１１へ移行する。一方、閾値以下となっていない場合は、ステップＳ７０３から開始される処理が繰り返される。
ステップＳ７１１の処理は、図３のステップＳ３０６の処理と同じである。
【００３４】
ステップＳ７０４で保存される選択履歴情報の例を、図を用いて説明する。
図８は、選択履歴情報を示す図である。選択履歴情報に保存される情報は、測定中の階調情報、ユーザが選択した測定色票（選択色票）情報、選択が実行されたときの時刻情報である。選択色票情報は、測定色票値及び該測定色票値が選択された選択回数を含む。これらの情報が、視覚特性の取得過程において逐次記録される。
【００３５】
次に実施例１の視覚特性の測定過程において、ユーザが測定色票１０５の選択で迷っている状態を検出する方法について、図を用いて説明する。なお、以下の説明では、色をＬ＊ａ＊ｂ＊空間における点で表現する。例えば、「３つの色の重心の色」という表現は、Ｌ＊ａ＊ｂ＊空間において３つの色に対応する点の重心の位置の点に対応する色を意味するものとする。実施例１では色空間としてＬ＊ａ＊ｂ＊空間を例に説明するが、これに限定されない。
【００３６】
図９は、個人の視覚特性が、２つの測定色票１０５のほぼ中央に位置するような状態である場合、２点が繰り返し選択されて視覚特性が収束せず、ユーザが色票の選択で迷っている例を示す。
図９（Ａ）は、ある測定色票１０５の組み合わせが表示された例を示す。９０１から９０５が測定色票１０５の色を示している。また、図中の□で示される９２０が、観察者の視覚特性を示す値であるとする。９２０は、測定色票１０５のうち、９０１と９０４のほ
ぼ中央に位置する値である。
【００３７】
ここで、観察者が、基準色票１０４に近い色として、９０４を選択したとする。その場合、図９（Ｂ）に示すような測定色票１０５が再表示される。９０６から９１０が測定色票１０５の色を示しており、９０６と９０４及び９１０と９０１は同じ色を示している。図９（Ｂ）の状態では、９０６と９１０の間に観察者の視覚特性が位置しているため、観察者は、９０６又は９１０を基準色票に近い色の測定色票として選択すると考えられる。
【００３８】
観察者が９１０を選択した場合、図９（Ｃ）に示される状態に遷移する。９１１から９１５が再表示された測定色票１０５の色を示す位置である。９１１から９１５は、図９（Ａ）に示した、９０１から９０５と同じ色である。つまり、図９（Ａ）の状態に戻ったことになる。このように、例えば２点のほぼ中央に視覚特性を示す色が存在した場合、２点間を交互に選択してしまうことにより、選択処理が収束せず、ユーザが色票の選択で迷うことがある。このようなユーザの状態は２点間に限らず、図１０に示すような、複数点間の繰り返しにより、選択処理が収束しない可能性がある。
【００３９】
図７のステップＳ７０５では、選択状態判定部２１２は、図９で示したような、同じ測定色票１０５が複数回繰り返されることを検出し、ユーザが色票の選択で迷っているか否かを判定する。具体的には、図８で示した選択履歴情報において、一定の複数の色票が繰り返し選択された回数が、一定の閾値を超えていた場合に、選択状態判定部２１２は、ユーザが色票の選択で迷っていると判定する。選択履歴情報の色票選択回数を参照することにより、このようなユーザの状態を検出することが可能となる。
【００４０】
次に、ユーザが色票の選択で迷っている場合の、測定色票１０５の表示方法の変更方法について、図を用いて説明する。実施例１では、ユーザにより繰り返し選択された一定の複数の色票に基づき求められる中心色の色票及びその色票に対し色差を有する１又は複数の近傍色の色票を、次回、表示装置に表示させる色票として決定される。
【００４１】
図１１は、２点間の繰り返し選択が発生していた場合の、測定色票１０５の再表示について示す図である。図１１（Ａ）において、１１０１が観察者の視覚特性を示しており、１１０２及び１１０３で示される測定色票１０５が、繰り返し選択された測定色票１０５を示す。
図１１（Ａ）に示される状態が発生していた場合、図１１（Ｂ）又は図１１（Ｃ）に示す測定色票１０５の再表示を行うことで、ユーザの選択繰り返し状態を解消することが可能となると考えられる。
【００４２】
図１１（Ｂ）は、繰り返し選択された測定色票１０５間の中央に、ユーザの視覚特性値が存在すると推定し、１１０１と１１０２との重心位置である１１０４を中心として、次回表示する測定色票１０５の色を決定する方法である。すなわち、繰り返し選択された測定色票１０５の平均により次回表示する測定色票の中心色を求める。また、図１１（Ｃ）は、１１０４を中心とし、測定色票１０５間の色差を小さくして再表示する方法を示している。前回表示させた測定色票の中心色と、今回ユーザにより選択された測定色票に基づき決定された中心色とが同じ色の場合に、次回表示させる測定色票の中心色と近傍色との色差を前回よりも小さくすると良い。図１１（Ｂ）又は図１１（Ｃ）に示すように、繰り返し選択された測定色票１０５間の重心の位置にある中心色を、再表示する測定色票１０５の中心色票とすることで、ユーザが色票の選択で迷うことを抑制する方法を提供することが可能となる。ここでは、２つの測定色票の重心の位置、すなわち２つの測定色票の色を平均して求められる色を中心色として次回、表示させる測定色票の色を決定する例を示したが、平均の演算は重み付け平均としても良い。
【００４３】
図１２に３点の繰り返しが発生した場合の測定色票１０５の再表示例を、図１３に４点の繰り返しが発生した場合の測定色票１０５の再表示例を示す。
図１２（Ａ）において、１２０１に示す位置が観察者の視覚特性を示す位置であり、１２０２、１２０３及び１２０４で示す測定色票１０５の間で繰り返し選択処理が行われた場合を示している。このような状態である場合、図１１と同様に選択された測定色票１０５間の重心位置を中心として、測定色票１０５の色を決定する。図１２（Ｂ）は、測定色票１０５間の色差を一定にした例であり、図１２（Ｃ）は、測定色票１０５間の色差を色によって異ならせて表示する例を示している。図１２（Ｃ）の例では、選択の繰り返し状況から、図上の重心位置１２０５より右上の方向に観察者の視覚特性値が存在すると判断できる。よって、重心位置より右上の方向の測定色票１０５について、重心からの色差をより小さくし、逆に左下方向の測定色票１０５については、重心からの色差を大きくして表示する例を示している。すなわち図１２（Ｃ）では、中心色と近傍色との色差を、ユーザの視覚特性に近いと推測される近傍色ほど小さくしている。
【００４４】
図１３（Ａ）において、１３０１に示す位置が観察者の視覚特性を示す位置であり、１３０２、１３０３、１３０４及び１３０５で示す測定色票１０５の間で繰り返し選択処理が行われた場合を示している。このような状態である場合、図１２（Ｂ）、図１２（Ｃ）に示すように、選択された測定色票１０５間の重心位置を中心として、次回表示する測定色票１０５の色を決定する。
【００４５】
実施例１では、表示装置に表示された複数の異なる測定色票のうちから基準色に最も近い測定色票をユーザに選択させ、選択された測定色票及びその測定色票に対し色差を有する１又は複数の測定色票を、次回、表示装置に表示させるという処理が繰り返される。そして、測定色票の決定及びユーザによる選択を複数回繰り返した結果についての情報である履歴情報に基づき、ユーザにより選択される測定色票が１つに収束しないと判定される場合、表示装置に表示させる測定色票を変更する。すなわち、同じ測定色票１０５が繰り返し選択されたことを検知することで、ユーザが色票の選択で迷っていると判定する。そして、繰り返し状態に基づき、測定色票１０５の表示態様を変更することで、ユーザが色票の選択で迷うことを抑制することができる。よって、視覚特性の取得に要する時間を短縮することができ、効率よくユーザの視覚特性を取得することが可能となる。
なお、実施例１で説明した、ユーザが色票の選択で迷っていること検出方法や、測定色票１０５の表示方法については例であり、この方法に限らない。
【００４６】
（実施例２）
実施例１では、測定色票１０５間での一定回数以上の繰り返しがあった場合にユーザが色票の選択で迷っていることを検出し、繰り返し状態に応じて表示する測定色票１０５の色を変更する例を示した。実施例２では、測定色票１０５の選択時に、一定期間のユーザ選択処理が無い場合に、ユーザが色票の選択で迷っていると判定し、測定色票１０５の表示方法を変更する例を示す。
実施例２の視覚特性を取得する演算処理装置の機能ブロック及び全体の処理フローについては、ユーザが色票の選択で迷っているか否かの判定方法の他は実施例１と同様であるため、詳細な説明を省略する。
【００４７】
実施例２における、ユーザが色票の選択で迷っている状態の判定について説明する。本判定処理は、図７のステップＳ７０５において実施される処理である。
図８で示したように、選択履歴情報には測定色票１０５を選択した選択時間が記録される。ステップＳ７０５において、最後に測定色票１０５が選択された時刻からの経過時間が閾値以上になった場合に、次の測定色票１０５が選択されない場合に、ユーザが色票の選択で迷っていると判定する。最後の測定色票１０５の選択から長い時間が経過しても次の測定色票１０５の選択が行われない場合、ユーザが、どの測定色票１０５も基準色票１
０４に近いためどの測定色票１０５を選択すべきか決めかねている状態であると考えられる。
【００４８】
一定以上の時間、ユーザによる選択処理がなされない場合の再表示する測定色票１０５の色決定について、図１４を用いて説明する。
図１４（Ａ）は、ある状態の測定色票１０５の表示状態を示す図である。図中の○で示した位置が測定色票１０５を示す。
図１４（Ａ）の状態において、一定時間のユーザ選択処理が行われなかった場合、選択状態判定部２１２は、ユーザにとって基準色票１０４に近い色が測定色票１０５に無く、選択ができない状態であると判定する。その際、ユーザの視覚特性を示す色は、図１４の１４０１から１４０４のような、近傍にあるどの測定色票１０５からも一定以上の色差がある位置に存在していると予測できる。よって、図１４（Ｂ）に示すように、次回表示する測定色票の色を、前回表示した測定色票の色に対し色相を変化させることで決定する。図１４（Ｂ）では、色相を４５°変更する例を示している。図１４（Ｂ）に示すように、当初表示していた測定色票１０５とは異なる色相で測定色票１０５を表示することにより、ユーザの選択処理を促進することが可能となり、ユーザが色票の選択で迷うことを抑制することができる。
【００４９】
以上説明したように、実施例２では、選択履歴情報における選択実施時の時刻情報を利用し、一定時間ユーザの選択処理が無い場合にユーザが色票の選択で迷っていると判定し、色票の表示方法を変更する。現在の測定色票１０５と異なる色で表示することにより、ユーザが色票の選択で迷うことを抑制した視覚特性の取得方法を提供することができ、視覚特性の取得時間を短縮することが可能となる。
なお、実施例２で説明した、ユーザが色票の選択で迷っている状態の検出方法や、測定色票１０５の表示方法については例であり、この方法に限らない。
【００５０】
（実施例３）
実施例１及び実施例２では、基準色票１０４として、図１の高演色蛍光灯１０１によって照射された比較用反射物１０３を利用した視覚特性の取得方法について説明した。実施例３では、基準色票１０４を、測定色票１０５と同様に、表示装置１０２に表示する例について示す。基準色票１０４を表示装置１０２に表示することにより、色票のサイズや数を容易に変更することが可能となり、より効果的なユーザが色票の選択で迷っていることを検出視、ユーザが色票の選択で迷うことを抑制できる。
【００５１】
図１５に、実施例３において使用する、図１に記載の表示装置１０２を示す。図１５の１５０１が基準色票１０４であり、１５０２が測定色票１０５である。図１５に示す表示装置１０２は、２つの領域にわかれ、それぞれ異なるバックライトを持つ。基準色票１０４を表示する第１の領域１５０３では、高演色蛍光灯１０１と同様に、広帯域の発光スペクトルを持つバックライトを搭載する。第２の領域１５０４は、通常のバックライト領域であり、測定色票１０５は１５０４で示す領域に表示する。ここでは、第２の領域１５０４は第１の領域１５０３よりも狭帯域の発光スペクトルを持つバックライトとする。
【００５２】
領域１５０３と領域１５０４で示される領域のバックライト形態について詳述する。図１５の１５０５から１５０７は、ＬＥＤバックライトの構成するＬＥＤを示す模式図である。１５０５が緑色ＬＥＤを示し、１５０６が赤色ＬＥＤ、１５０７が青色ＬＥＤを示す。ここで、第１の領域１５０３において、広帯域の発光スペクトルを実現するため、１５０８に示す白色ＬＥＤを搭載する。視覚特性の取得時には、１５０５から１５０７のＲＧＢ−ＬＥＤに加え、白色ＬＥＤ１５０８も点灯することにより、広い波長域にわたってある一定値以上のスペクトルを持つ広帯域の発光スペクトルのバックライトを実現する。視覚特性の取得を行わない通常時には、第１の領域１５０３は第２の領域１５０４と同様に
１５０５から１５０７のＲＧＢ−ＬＥＤが点灯し、狭帯域の発光スペクトルのバックライトを実現する。このように、第１の領域１５０３は、視覚特性の取得時と通常時とで広帯域の発光スペクトルによる発光と狭帯域の発光スペクトルによる発光とを切り替え可能である。分光放射輝度が比較的緩やかに変化する特性を持つ光源は、個人の視覚の差が生じにくいため、このようなバックライトを持つ領域１５０３に表示する色票は、基準色票１０４として利用することが可能である。
【００５３】
なお、図１５では、ＬＥＤを増加させることで基準色票１０４を表示可能なバックライトを実現したが、例えばＣＣＦＬを配置する構成でもよい。この場合、例えば、通常使用時にはＬＥＤを点灯し、かつＣＣＦＬを消灯することで、全表示領域で同一の発光を行うバックライトとする。視覚特性測定時には領域１５０３のみＬＥＤを消灯し、かつＣＣＦＬを点灯することで、基準色票を表示する領域１５０３のみ広帯域スペクトルで発光するバックライトとすると良い。
【００５４】
実施例３における測定色票１０５の変更例について、図１６を用いて説明する。図１６（Ａ）は、ある状態の測定色票１０５を表示した状態を示す図である。１６０５から１６０９で示す色が測定色票１０５である。このような表示状態で一定時間のユーザ選択処理が行われなかった場合、どの測定色票１０５も、基準色票１０４と異なる色であると判定された状態であると言える。そのような場合、例えば、図１６（Ａ）の１６０１から１６０４のような位置にユーザの視覚特性が存在すると仮定できる。
【００５５】
図１６（Ａ）の状態において、ユーザが色票の選択で迷っていることを検出した場合、実施例３では、図１６（Ｂ）で示すような測定色票１０５を表示する。図１６（Ｂ）は、従来表示してあった測定色票１０５に加え、色相を変更した測定色票１０５を追加で表示する方法について示したものである。測定色票１０５の表示状態を模式図で示したものが１６２０である。ユーザが色票の選択で迷っている場合に、一時的に表示する測定色票１０５の数を変更することで、ユーザが色票の選択で迷うことを抑制できる。なお、ここでは色相を変更した測定色票と変更前の測定色票とを両者とも表示する例を説明したが、色相を変更した測定色票のみを表示しても良い。また、色相の変更方法としてＬ＊ａ＊ｂ＊空間で４５°回転させる場合を例示したが、色相の変更方法はこれに限らない。
【００５６】
実施例３の処理を示すフローチャートを図１７に示す。
ステップＳ１７０１で、視覚特性取得制御部２１５は、表示装置の領域１５０３（基準色票を表示可能な領域）に、基準色票を表示する。
以降、ステップＳ１７０２からステップＳ１７１１までは、図７のステップＳ７０２からステップＳ７１１に該当する処理である。ただし、ステップＳ１７０７における選択履歴情報に基づく測定色票の決定処理では、上述したように、基準色票及び測定色票の大きさや数の変更を含むことができる。
実施例３では、基準色票１０４を表示装置１０２に表示することを可能とすることで、測定色票１０５のサイズや数を変更可能であり、より効果的にユーザが色票の選択で迷うことを抑制することが可能となり、視覚特性の取得時間を短縮することが可能となる。
なお、実施例３で説明した、ユーザが色票の選択で迷っている状態の検出方法や、測定色票１０５の表示方法については例であり、この方法に限らない。
（その他の実施例）  
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５７】
２１１：選択履歴記録制御部、２１２：選択状態判定部、２１３：色票表示方法決定部、２１４：色票表示処理部、２１５：視覚特性取得制御部
【図１】
2016134838.tif 000003
【図２】
2016134838.tif 000004
【図３】
2016134838.tif 000005
【図４】
2016134838.tif 000006
【図５】
2016134838.tif 000007
【図６】
2016134838.tif 000008
【図７】
2016134838.tif 000009
【図８】
2016134838.tif 000010
【図９】
2016134838.tif 000011
【図１０】
2016134838.tif 000012
【図１１】
2016134838.tif 000013
【図１２】
2016134838.tif 000014
【図１３】
2016134838.tif 000015
【図１４】
2016134838.tif 000016
【図１５】
2016134838.tif 000017
【図１６】
2016134838.tif 000018
【図１７】
2016134838.tif 000019